(57)【特許請求の範囲】
【請求項１】
貯湯タンクと、この貯湯タンクの上部と下部とを接続し循環ポンプと熱交換器を備えた循環通路と、浴槽と前記熱交換器とを接続し浴槽ポンプと浴槽温度検知手段とを備えた浴槽循環通路とを有する貯湯給湯装置であって、
設定時刻になると、前記浴槽ポンプを駆動させて前記浴槽温度検知手段によって検知された浴槽温度と、前記貯湯タンク内の湯水温度とを比較することによって浴槽湯水の熱を前記貯湯タンク内の湯水に移動させる熱回収運転を行うか否かを判定する熱回収可否判定手段と、
前記熱回収可否判定手段による判定を行う前に、前記浴槽ポンプを駆動するか否かを判定する浴槽ポンプ駆動判定手段とを備え、
前記浴槽ポンプ駆動判定手段は、前記貯湯タンク内の上部湯水温度が浴槽設定温度よりも所定温度以上高い場合には浴槽ポンプの駆動を行わないと判定することを特徴とする貯湯給湯装置。
【請求項２】
貯湯タンクと、この貯湯タンクの上部と下部とを接続し循環ポンプと熱交換器を備えた循環通路と、浴槽と前記熱交換器とを接続し浴槽ポンプと浴槽温度検知手段とを備えた浴槽循環通路とを有する貯湯給湯装置であって、
設定時刻になると、前記浴槽ポンプを駆動させて前記浴槽温度検知手段によって検知された浴槽温度と、前記貯湯タンク内の湯水温度とを比較することによって浴槽湯水の熱を前記貯湯タンク内の湯水に移動させる熱回収運転を行うか否かを判定する熱回収可否判定手段と、
前記熱回収可否判定手段による判定を行う前に、前記浴槽ポンプを駆動するか否かを判定する浴槽ポンプ駆動判定手段とを備え、
前記浴槽ポンプ駆動判定手段は、浴槽の追い焚き運転からの経過時間が所定時間以内の場合には浴槽ポンプの駆動を行わないと判定することを特徴とする貯湯給湯装置。
【請求項３】
貯湯タンクと、この貯湯タンクの上部と下部とを接続し循環ポンプと熱交換器を備えた循環通路と、浴槽と前記熱交換器とを接続し浴槽ポンプと浴槽温度検知手段とを備えた浴槽循環通路とを有する貯湯給湯装置であって、
設定時刻になると、前記浴槽ポンプを駆動させて前記浴槽温度検知手段によって検知された浴槽温度と、前記貯湯タンク内の湯水温度とを比較することによって浴槽湯水の熱を前記貯湯タンク内の湯水に移動させる熱回収運転を行うか否かを判定する熱回収可否判定手段と、
前記熱回収可否判定手段による判定を行う前に、前記浴槽ポンプを駆動するか否かを判定する浴槽ポンプ駆動判定手段と、
給湯使用量の時系列予測手段とを備え、
前記熱回収可否判定手段は、前記時系列予測手段の予測に基づいて次回の給湯が所定の時間内に予定されない場合には、熱回収運転を行わないと判定することを特徴とする貯湯給湯装置。
【発明の詳細な説明】
【技術分野】
【０００１】
本発明は、外部熱源機で加熱された湯水を貯湯タンクに貯留し、貯留した湯水を給湯可能な貯湯給湯装置に関する。
【背景技術】
【０００２】
従来から、ヒートポンプ給湯装置や燃料電池等の外部熱源機で加熱された湯水を貯湯タンクに貯留し、この貯留された湯水を給湯先に供給可能なエネルギー効率が高い貯湯給湯装置が広く使用されており、近年は給湯にかかる消費エネルギーのさらなる削減が期待されている。特に、入浴後の浴槽内の湯水は多量の熱エネルギーを蓄えているので、この熱エネルギーを回収して利用できるようにすることが求められている。
【０００３】
このような貯湯給湯装置として、蓄熱タンクの上部側に貯留された高温の湯水を利用して浴槽の湯水を加熱する加熱用熱交換器と、浴槽の湯水の熱を蓄熱タンクの下部側に貯留された低温の湯水に回収する熱回収用熱交換器を備えた給湯装置が特許文献１に開示されている。
【０００４】
しかし、特許文献１の給湯装置は、加熱用熱交換器と熱回収用熱交換器を有するので給湯装置の構造が複雑になる。そこで、本願出願人は、ふろ追い焚き用熱交換器を熱回収用熱交換器として利用し、簡単な構造で浴槽の湯水の熱を回収して給湯に利用することが可能な貯湯給湯装置について、先に提案している（特願２０１５−２４８８３５）。
【先行技術文献】
【特許文献】
【０００５】
【特許文献１】特開２００９−１９２１０７号公報
【発明の概要】
【発明が解決しようとする課題】
【０００６】
本願出願人が先に提案している貯湯給湯装置は、浴槽の湯水の熱の回収可否を判定する際に、浴槽ポンプを駆動させて浴槽の湯水の温度を検知するので、回収しないと判定した場合に浴槽ポンプを駆動させたエネルギーが無駄になり、貯湯給湯装置のエネルギー効率が低下する虞がある。
【０００７】
本発明の目的は、浴槽の湯水の熱を回収可能であると共に、浴槽ポンプの無駄な駆動を回避してエネルギー効率が高い貯湯給湯装置を提供することである。
【課題を解決するための手段】
【０００８】
請求項１の貯湯給湯装置は、貯湯タンクと、この貯湯タンクの上部と下部とを接続し循環ポンプと熱交換器を備えた循環通路と、浴槽と前記熱交換器とを接続し浴槽ポンプと浴槽温度検知手段とを備えた浴槽循環通路とを有する貯湯給湯装置であって、設定時刻になると、前記浴槽ポンプを駆動させて前記浴槽温度検知手段によって検知された浴槽温度と、前記貯湯タンク内の湯水温度とを比較することによって浴槽湯水の熱を前記貯湯タンク内の湯水に移動させる熱回収運転を行うか否かを判定する熱回収可否判定手段と、前記熱回収可否判定手段による判定を行う前に、前記浴槽ポンプを駆動するか否かを判定する浴槽ポンプ駆動判定手段とを備え、前記浴槽ポンプ駆動判定手段は、前記貯湯タンク内の上部湯水温度が浴槽設定温度よりも所定温度以上高い場合には浴槽ポンプの駆動を行わないと判定することを特徴としている。
【０００９】
請求項２の貯湯給湯装置は、貯湯タンクと、この貯湯タンクの上部と下部とを接続し循環ポンプと熱交換器を備えた循環通路と、浴槽と前記熱交換器とを接続し浴槽ポンプと浴槽温度検知手段とを備えた浴槽循環通路とを有する貯湯給湯装置であって、設定時刻になると、前記浴槽ポンプを駆動させて前記浴槽温度検知手段によって検知された浴槽温度と、前記貯湯タンク内の湯水温度とを比較することによって浴槽湯水の熱を前記貯湯タンク内の湯水に移動させる熱回収運転を行うか否かを判定する熱回収可否判定手段と、前記熱回収可否判定手段による判定を行う前に、前記浴槽ポンプを駆動するか否かを判定する浴槽ポンプ駆動判定手段とを備え、前記浴槽ポンプ駆動判定手段は、浴槽の追い焚き運転からの経過時間が所定時間以内の場合には浴槽ポンプの駆動を行わないと判定することを特徴としている。
【００１０】
請求項３の貯湯給湯装置は、貯湯タンクと、この貯湯タンクの上部と下部とを接続し循環ポンプと熱交換器を備えた循環通路と、浴槽と前記熱交換器とを接続し浴槽ポンプと浴槽温度検知手段とを備えた浴槽循環通路とを有する貯湯給湯装置であって、設定時刻になると、前記浴槽ポンプを駆動させて前記浴槽温度検知手段によって検知された浴槽温度と、前記貯湯タンク内の湯水温度とを比較することによって浴槽湯水の熱を前記貯湯タンク内の湯水に移動させる熱回収運転を行うか否かを判定する熱回収可否判定手段と、前記熱回収可否判定手段による判定を行う前に、前記浴槽ポンプを駆動するか否かを判定する浴槽ポンプ駆動判定手段と、給湯使用量の時系列予測手段を備え、前記熱回収可否判定手段は、前記時系列予測手段の予測に基づいて次回の給湯が所定の時間内に予定されない場合には、熱回収運転を行わないと判定することを特徴としている。
【００１１】
【発明の効果】
【００１２】
請求項１の発明によれば、浴槽の湯水の熱を回収可能であり、その熱回収の可否の判定前に浴槽ポンプを駆動するか否か判定するので、浴槽温度を検知するまでもなく熱回収運転を行わないことが明らかである場合に無駄になる浴槽ポンプの作動を回避して、エネルギー消費を抑えることができる。
【００１３】
そして、貯湯タンクに浴槽設定温度より所定温度以上高い温度の湯水が貯留されている場合には、浴槽温度が浴槽設定温度より高い場合はなく、また、この貯留された湯水は温度成層を形成して出湯可能な状態であり、熱回収運転によってこの温度成層を崩すとエネルギー効率が低下するので、熱回収運転を行わない。そのため浴槽の湯水の温度を検知する必要がなく、無駄になる浴槽ポンプの作動を回避して、エネルギー消費を抑えることができる。
【００１４】
請求項２の発明によれば、浴槽の湯水の熱を回収可能であり、その熱回収の可否の判定前に浴槽ポンプを駆動するか否か判定するので、浴槽温度を検知するまでもなく熱回収運転を行わないことが明らかである場合に無駄になる浴槽ポンプの作動を回避して、エネルギー消費を抑えることができる。そして、浴槽の追い焚き運転後はユーザが入浴する可能性があるので、所定時間が経過するまでは浴槽の湯水の温度を下げてしまう熱回収運転を行わない。そのため、浴槽の湯水の温度を検知する必要がなく、無駄になる浴槽ポンプの作動を回避して、エネルギー消費を抑えることができる。
【００１５】
請求項３の発明によれば、浴槽の湯水の熱を回収可能であり、その熱回収の可否の判定前に浴槽ポンプを駆動するか否か判定するので、浴槽温度を検知するまでもなく熱回収運転を行わないことが明らかである場合に無駄になる浴槽ポンプの作動を回避して、エネルギー消費を抑えることができる。そして、次回の給湯が所定の時間内に予定されていない場合には熱回収運転を行わないので、次回の給湯のための貯湯運転開始までに降温して無駄になる熱回収運転を回避して、エネルギー消費を抑えることができる。
【図面の簡単な説明】
【００１６】
【図１】本発明の貯湯給湯装置の概略構成図である。
【図２】熱回収運転中の湯水の流路を示す図である。
【図３】熱回収運転制御のフローチャートである。
【発明を実施するための形態】
【００１７】
以下、本発明を実施するための形態について実施例に基づいて説明する。
【実施例】
【００１８】
最初に本発明の貯湯給湯装置１について説明する。
図１に示すように、貯湯給湯装置１は、貯湯給湯ユニット２と外部熱源機３を有する。貯湯給湯ユニット２は、補助熱源機４と、貯湯タンク５と、熱交換器６と、貯湯タンク５の上端部から循環ポンプ７と補助熱源機４と熱交換器６を経由して貯湯タンク５の下端部へ接続する循環通路８と、熱交換器６と浴槽１５を接続する浴槽循環通路９と、貯湯タンク５と外部熱源機３を接続する加熱循環通路１０と、貯湯給湯装置１の各種運転を制御する制御ユニット１１等を備えている。
【００１９】
次に、貯湯タンク５及び循環通路８について説明する。
貯湯タンク５は湯水を貯留可能に構成され、その外周には複数の貯湯温度センサ５ａ〜５ｄが異なる高さ位置に下から順に設けられ、貯留された湯水の温度を検知する。尚、貯湯温度センサの位置や数は、貯湯給湯装置１の仕様等に応じて適宜変更可能である。また、図示を省略するが、貯留された湯水の降温を防ぐために、貯湯タンク５の周囲は断熱材で覆われている。
【００２０】
循環通路８は、貯湯タンク５の上端部と三方弁１２を接続しタンク出湯温度センサ５ｆを備えた循環通路部８ａと、三方弁１２と補助熱源機４を接続し循環ポンプ７を備えた循環通路部８ｂと、補助熱源機４と熱交換器６を接続し循環温度センサ１３を備えた循環通路部８ｃと、熱交換器６と貯湯タンク５の下端部を接続しタンク入水温度センサ５ｅと熱交換器電磁弁１４を備えた循環通路部８ｄを有する。
【００２１】
タンク出湯温度センサ５ｆは、貯湯タンク５から出湯する湯水の温度及び貯湯タンク５の上端部の湯水の温度を検知可能なように循環通路部８ａの上流端近傍に設けられている。タンク入水温度センサ５ｅは、貯湯タンク５に流入する湯水の温度及び貯湯タンク５の下端部の湯水の温度を検知可能なように循環通路部８ｄの下流端近傍に設けられている。循環温度センサ１３は、熱交換器６に流入する湯水の温度を検知するため、熱交換器６に近い循環通路部８ｃの下流側に設けられている。
【００２２】
次に、熱交換器６及び浴槽循環通路９について説明する。
熱交換器６は、循環通路８を流れる湯水と浴槽循環通路９を流れる浴槽１５の湯水（以下、浴槽湯水とも呼ぶ。）との間での熱交換を行う。浴槽循環通路９は、ふろ往き通路部９ａとふろ戻り通路部９ｂを有する。ふろ往き通路部９ａは、熱交換後の浴槽湯水の温度を検知するふろ往き温度センサ１７ａを備えている。ふろ戻り通路部９ｂは、浴槽ポンプ１６と、ふろ戻り温度センサ１７ｂと、浴槽１５の水位を検知する水位センサ１７ｃを備えている。ふろ戻り温度センサ１７ｂは浴槽温度検知手段に相当し、ふろ戻り通路部９ｂを流れる浴槽湯水の温度（以下、浴槽温度とも呼ぶ。）を検知する。
【００２３】
次に、加熱循環通路１０について説明する。
加熱循環通路１０は、貯湯タンク５の下部と外部熱源機３を接続し加熱循環ポンプ１８を備えた上流加熱循環通路部１０ａと、外部熱源機３と貯湯タンク５の上部を接続し加熱循環温度センサ１９を備えた下流加熱循環通路部１０ｂと、上流加熱循環通路部１０ａと下流加熱循環通路部１０ｂを接続し循環切換弁２０を備えたバイパス通路部１０ｃを有する。循環切換弁２０により、外部熱源機３により加熱した湯水を貯湯タンク５の上部に貯留する貯湯タンク側と、外部熱源機３により加熱した湯水をバイパス通路部１０ｃを経由して外部熱源機３に送るバイパス通路側とを切換え可能である。
【００２４】
次に、給水通路２１について説明する。
給水通路２１は、上流端が上水源に接続され、下流端が循環通路部８ｄに接続され、貯湯給湯ユニット２に上水を供給する。給水バイパス通路２２は、給水通路２１から分岐して混合弁２３に接続している。給水通路２１には給水温度センサ２４と逆止弁２５が設けられ、給水バイパス通路２２には逆止弁２６が設けられている。高温出湯回避通路２８は、給水バイパス通路２２と給湯通路２７を接続し、ユーザが予期しない高温出湯を回避可能に設けられている。
【００２５】
次に、タンク出湯通路２９について説明する。
タンク出湯通路２９は、循環通路部８ａから分岐して混合弁２３に接続している。混合弁２３において、ユーザが設定した給湯設定温度の湯水を給湯通路２７に供給するために、給水バイパス通路２２から供給される低温の上水とタンク出湯通路２９から供給される高温の湯水との混合比が調節される。
【００２６】
次に、給湯通路２７について説明する。
給湯通路２７は、混合弁２３によって調節された湯水温度を検知可能な給湯温度センサ３０を備え、給湯設定温度の湯水を給湯栓等に供給可能である。また、給湯通路２７から分岐してふろ往き通路部９ａに接続する給湯分岐通路部２７ａには開閉弁３１が設けられ、ユーザが設定した浴槽設定温度の湯水を浴槽循環通路９から浴槽１５に供給可能である。
【００２７】
次に、補助熱源機４について説明する。
補助熱源機４は、バーナや熱交換器等を内蔵した公知のガス給湯器で構成され、制御ユニット１１からの指令により燃焼作動して循環通路部８ｂから流入する湯水を加熱可能である。補助熱源機４から流出する湯水は循環通路部８ｃを流れる。循環通路部８ｃから分岐し水比例弁３２を備えた補助加熱出湯通路３３の下流端はタンク出湯通路２９に接続している。
【００２８】
循環通路部８ｄから分岐して三方弁１２に接続する循環バイパス通路３４は、三方弁１２を循環通路側から循環バイパス通路側へ切換えることにより貯湯タンク５をバイパスして、給水通路２１から供給される上水または熱交換器６から流出した湯水を補助熱源機４に供給可能に構成されている。
【００２９】
補助熱源機４から流出した湯水は、水比例弁３２を開放して熱交換器電磁弁１４を閉止することにより給湯通路２７から給湯栓等に供給可能であり、水比例弁３２を閉止して熱交換器電磁弁１４を開放することにより熱交換器６において浴槽湯水と熱交換可能である。
【００３０】
次に、外部熱源機３について説明する。
外部熱源機３は、補助制御ユニット３５を介して制御ユニット１１に制御され、圧縮機３６、凝縮熱交換器３７、膨張弁３８、蒸発熱交換器３９を冷媒配管４０により接続してヒートポンプ回路を構成し、冷媒配管４０に封入された冷媒と外気の熱を利用して湯水を加熱するヒートポンプ給湯装置である。外部熱源機３はヒートポンプ給湯装置に限らず、燃料電池の排熱を利用する給湯装置等であってもよい。
【００３１】
次に、操作リモコン４１について説明する。
操作リモコン４１は、ユーザが操作可能な自動ふろ熱回収運転スイッチ４１ａ（以下、熱回収ＳＷ４１ａとも呼ぶ）と、図示しない他の操作手段及び運転状態や設定等を文字や図柄、発光ランプ等により表示可能な表示部を備えている。各種運転の設定温度や設定時刻等は、ユーザが行う操作リモコン４１の操作により設定可能であり、これら設定温度等のデータを制御ユニット１１に送信する。
【００３２】
次に、制御ユニット１１について説明する。
制御ユニット１１は、浴室等に設けられた操作リモコン４１の操作により設定された温度等のデータを受信すると共に、貯湯温度センサ５ａ〜５ｄ等各種センサにより検知された温度等のデータを取得し、循環ポンプ７や三方弁１２等を駆動し、外部熱源機３や補助熱源機４を作動させて設定温度の湯水を供給可能なように貯湯運転、湯張り運転、追い焚き運転、熱回収運転等を制御する。また、制御ユニット１１は給湯実績の時系列データを蓄積・学習し、将来の給湯使用量の時系列予測が可能なように構成され、給湯使用量の時系列予測手段に相当する。
【００３３】
次に、貯湯運転について説明する。
制御ユニット１１は、給湯使用量の時系列予測に基づいて外部熱源機３を作動させると共に、循環切換弁２０を貯湯タンク側に切換え、加熱循環ポンプ１８を駆動し、貯湯タンク５の下部から低温の湯水を外部熱源機３に供給し、外部熱源機３で加熱された貯湯設定温度の湯水を貯湯タンク５の上部に貯留する。加熱循環通路１０を流れる湯水の流量は、外気温や貯湯タンク５の下部の湯水の温度等に基づいて外部熱源機３により貯湯設定温度に加熱されるように制御される。
【００３４】
貯湯運転の継続により、貯湯タンク５の上部に貯留された貯湯設定温度の湯水の層が下方に拡大し、低温の湯水の層が縮小する。貯湯タンク５に設けられた複数の貯湯温度センサ５ａ〜５ｄ等が検知する温度により、制御ユニット１１は貯湯タンク５に貯留された貯湯設定温度の湯水の量を検知可能である。
【００３５】
次に、湯張り運転について説明する。
ユーザが操作リモコン４１から湯張り運転を指示すると、ユーザが予め設定した浴槽設定温度や設定湯量等に基づいて湯張り運転が開始され、開閉弁３１が開放される。ユーザが設定した時刻に湯張り運転を開始または完了するようにしてもよい。貯湯運転により貯湯タンク５に貯留された貯湯設定温度の湯水は、給水圧によってタンク出湯通路２９から混合弁２３に流入する。制御ユニット１１は、混合弁２３を調節して浴槽設定温度の湯水を給湯通路２７に供給し、給湯通路２７から分岐通路部２７ａ及び浴槽循環通路９を経由して浴槽１５に設定湯量を供給する。
【００３６】
次に、追い焚き運転について説明する。
ユーザが操作リモコン４１から追い焚き運転を指示すると、浴槽設定温度等に基づいて追い焚き運転が開始される。制御ユニット１１は、水比例弁３２を閉止し、熱交換器電磁弁１４を開放し、三方弁１２を循環バイパス通路３４側に切換え、循環ポンプ７を駆動し、補助熱源機４を作動させる。補助熱源機４により加熱された湯水は、循環通路部８ｃを通って熱交換器６に流入する。
【００３７】
これと並行して、制御ユニット１１は、浴槽循環通路９において浴槽ポンプ１６を駆動して浴槽湯水を循環させる。熱交換器６において補助熱源機４により加熱された湯水と浴槽湯水との間で熱交換させることにより浴槽湯水を加熱し、ふろ戻り温度センサ１７ｂの検知温度が浴槽設定温度になると追い焚き運転を終了する。自動的に浴槽設定温度を維持するようにしてもよい。
【００３８】
次に、熱回収運転について説明する。
図２に示すように、熱回収運転は熱交換器６において、循環通路８を循環する貯湯タンク５の湯水と浴槽循環通路９を循環する浴槽湯水との間で熱交換させて、浴槽湯水の熱を貯湯タンク５の湯水に回収するものである。このときの制御ユニット１１による熱回収運転制御について、図３に示すフローチャートに基づいて説明する。尚、フローチャート中のＳｉ（ｉ＝１，２，・・・）は各ステップを表す。また、ユーザは操作リモコン４１から熱回収運転を開始する時刻（以下、設定時刻と呼ぶ。）を指定して予約可能である。設定時刻は入浴が終わって給湯使用がない時間帯に設定することが好ましい。
【００３９】
最初にＳ１において、ユーザが熱回収運転を予約している否か判定する。例えば、操作リモコン４１の熱回収ＳＷ４１ａがＯＮか否か判定する。尚、熱回収ＳＷ４１ａがＯＮである間は、操作リモコン４１に熱回収運転を予約していることを表示する。判定がＹｅｓの場合はＳ２に進み、判定がＮｏの場合はこのＳ１に戻る。
【００４０】
次にＳ２において、現在時刻が熱回収運転の設定時刻であるか否か判定する。判定がＹｅｓの場合はＳ３に進み、判定がＮｏの場合はＳ１に戻る。
【００４１】
次にＳ３において、熱回収運転可否の判定のために浴槽温度を検知する必要がある場合を抽出するため、浴槽ポンプ駆動条件Ａを満たすか否か判定する。浴槽ポンプ駆動条件Ａとしては、例えば下記条件Ａ１〜Ａ３である。
（Ａ１）貯湯温度センサ５ｄの検知温度が浴槽設定温度よりも所定温度以上高くないため、出湯可能な湯水が貯留されていない。
（Ａ２）水位センサ１７ｃの検知水位が、浴槽湯水を浴槽循環通路９に循環させることができる水位である。
（Ａ３）浴槽１５への湯張り運転や追い焚き運転等のうち最新の運転動作後の経過時間が１２時間以内であるため、浴槽温度の低下が僅かである。
上記Ａ１〜Ａ３の条件をすべて満たしてＳ３の判定がＹｅｓの場合はＳ４に進み、判定がＮｏの場合はＳ１に戻る。尚、条件Ａ１の所定温度は、予測される次回の出湯までの降温を考慮して適宜設定可能であり、０℃とすることもできる。また、優先すべき安全動作や他の運転を妨げないことが浴槽ポンプ駆動条件Ａに含まれていてもよい。
【００４２】
次にＳ４において、設定時刻とかけ離れた時刻に熱回収運転を開始することがないように、浴槽ポンプ駆動条件Ｂを満たすか否か判定する。例えば、設定時刻からの経過時間が１時間以内であるか否か判定する。判定がＹｅｓの場合はＳ５に進み、判定がＮｏの場合はＳ１に戻る。
【００４３】
次にＳ５において、ユーザの給湯使用等を妨げないために、浴槽ポンプ駆動条件Ｃを満たすか否か判定する。浴槽ポンプ駆動条件Ｃとしては、例えば下記条件Ｃ１，Ｃ２である。
（Ｃ１）給湯中または最新の給湯終了後の経過時間が１０分以内でない。
（Ｃ２）最新の浴槽の追い焚き運転完了後の経過時間が所定時間以内でない。
Ｃ１，Ｃ２の条件を両方とも満たしてＳ５の判定がＹｅｓの場合はＳ６に進み、判定がＮｏの場合はＳ３に戻る。尚、条件Ｃ２の所定時間は追い焚き運転後の入浴終了が見込まれる時間であり、例えば1時間であってもよく、ユーザが適宜設定するようにしてもよい。以上説明したＳ３〜Ｓ５が浴槽ポンプ駆動判定手段に相当する。
【００４４】
次にＳ６において、浴槽ポンプ１６を駆動して浴槽湯水を例えば５Ｌ／分の流量で浴槽循環通路９に循環させてＳ７に進む。このとき操作リモコン４１にふろ熱回収運転中であることを表示するようにしてもよい。
【００４５】
次にＳ７において、熱回収運転可否の判定のために、熱回収運転開始条件Ｄを満たすか否か判定する。例えば、Ｓ６の浴槽ポンプ１６の駆動開始から１分以内に、ふろ戻り温度センサ１７が検知した浴槽温度が、貯湯タンク５に貯留された湯水の平均温度（以下、タンク平均温度と呼ぶ。）より１５℃以上高いことを１秒間検知したか否か判定する。判定がＹｅｓの場合、即ち熱回収運転が可能であると判定された場合はＳ８に進み、判定がＮｏの場合はＳ１３に進んで浴槽ポンプ１６を停止させ、Ｓ１に戻る。ここで、タンク平均温度は、貯湯温度センサ５ａ〜５ｄ及びタンク入水温度センサ５ｅに検知される温度と、これらの温度センサの高さ位置に対応する湯水の量から算出される。尚、このＳ７が熱回収可否判定手段に相当する。
【００４６】
次にＳ８において、熱回収運転を開始する。例えば、タンク水比例弁３２を閉止し、三方弁１２を循環通路側に切換え、熱交換器電磁弁１４を開放し、循環流量が５Ｌ／分になるように循環ポンプ７を駆動して、貯湯タンク５に貯留された湯水を循環通路８に循環させる。浴槽循環通路９にはＳ６において浴槽湯水の循環を開始しており、熱交換器６において浴槽湯水から貯湯タンク５に貯留された湯水へ熱を移動させながらＳ９に進む。熱回収運転中は熱回収時間を計時するが、次のＳ９において熱回収運転が中断された後で熱回収運転が再開された場合には、熱回収時間の計時を中断した時間から再開する。
【００４７】
次にＳ９において、熱回収運転待機条件Ｅを満たすか否か判定する。例えば給湯運転等、熱回収運転以外の他の運転が開始されたか否か判定する。判定がＹｅｓ、即ち他の運転が開始された場合は熱回収運転を中断すると共に、熱回収時間の計時を中断する。操作リモコン４１にふろ熱回収運転中の表示がある場合はこの表示を終了して他の運転を実行し（Ｓ１４）、他の運転が終了したらＳ３に戻る。このとき判定がＮｏの場合はＳ１０に進む。
【００４８】
次にＳ１０において、熱回収運転終了条件Ｆを満たすか否か判定する。熱回収運転終了条件Ｆとしては、例えば下記条件Ｆ１、Ｆ２である。
（Ｆ１）計時された熱回収時間が１．５時間に到達した。
（Ｆ２）浴槽温度とタンク平均温度との差温が５℃以下である。
Ｆ１，Ｆ２の条件のいずれか１つを満たす、即ちＳ１０の判定がＹｅｓの場合はＳ１１に進み、判定がＮｏの場合はＳ９に戻る。尚、安全動作や他の運転を優先させる条件が熱回収運転終了条件Ｆに含まれていてもよい。
【００４９】
次にＳ１１において、熱回収運転を終了する。循環ポンプ７と浴槽ポンプ１６を停止し、三方弁１２とタンク水比例弁３２を所定の待機位置に駆動し、熱交換器電磁弁１４を閉止し、計時した熱回収時間を０にする。操作リモコン４１にふろ熱回収運転中の表示があれば表示を終了してＳ１２に進む。
【００５０】
次にＳ１２において、熱回収運転が設定時刻からかけ離れた時刻に実施されないように熱回収終了条件Ｇを満たすか否か判定する。例えば、設定時刻からの経過時間が１時間以上であるか否か判定する。判定がＹｅｓの場合はＳ１に戻り、判定がＮｏの場合はＳ３に戻る。以上説明した熱回収運転制御は、貯湯給湯装置１が作動可能である間は作動し続けるものとする。
【００５１】
次に、本発明の貯湯給湯装置１の作用、効果について説明する。
貯湯給湯装置１は、浴槽１５の湯水に蓄えられた熱の一部を回収可能か否か判定し、回収可能であれば熱回収運転を実施する。この熱回収可否判定は、タンク平均温度と浴槽ポンプ１６を駆動して検知した浴槽温度に基づいて行われ、この熱回収可否判定の前に浴槽ポンプ１６の駆動可否を判定する。浴槽の湯水の温度を検知するまでもなく熱回収運転を行わないことが明らかである場合、例えば貯湯タンク５に出湯可能な湯水が貯留されている場合や、浴槽１５に熱回収可能な湯水がない場合には、浴槽ポンプ１６の駆動を回避して無駄になるエネルギー消費を防ぐので、エネルギー効率の低下を回避することができる。
【００５２】
前記実施例を部分的に変更する例について説明する。
［１］給湯使用量の時系列予測に基づいて、次回の給湯が所定の時間内、例えば２４時間以内に予定されない場合に熱回収運転を実施しないようにする。このような構成であれば、次回の給湯のための貯湯運転開始までに降温して無駄になってしまう熱回収運転を回避できるので、無駄なエネルギー消費を回避して、貯湯給湯装置１のエネルギー効率の低下を防ぐことができる。
［２］熱回収運転中に他の運転が開始された場合は熱回収運転を終了する構成としてもよい。
［３］その他、当業者であれば、本発明の趣旨を逸脱することなく、前記実施例に種々の変更を付加した形態で実施可能であり、本発明はそのような変更形態を包含するものである。
【符号の説明】
【００５３】
１    貯湯給湯装置
５    貯湯タンク
５ａ〜５ｄ  貯湯温度センサ
５ｅ  タンク入水温度センサ
６    熱交換器
７    循環ポンプ
８    循環通路
９    浴槽循環通路
１１  制御ユニット（給湯使用量の時系列予測手段）
１４  熱交換器電磁弁
１５  浴槽
１６  浴槽ポンプ
１７ｂ  ふろ戻り温度センサ（浴槽温度検知手段）
１７ｃ  水位センサ
４１  操作リモコン
４１ａ  自動ふろ熱回収運転スイッチ（熱回収ＳＷ）
【図１】
0006701567.tif 000002
【図２】
0006701567.tif 000003
【図３】
0006701567.tif 000004